(57)【要約】【課題】放送映像や再生映像を、より自然に近い色で色覚障害者用に補正できる機能を有する画像処理装置を提供する。【解決手段】Ｌ錐体とＭ錐体とＳ錐体とに応じて映像信号の赤色スペクトルと緑色スペクトルと青色スペクトルとの３バンドに映像信号のスペクトルが分解される。色設定画面にて例えばプリセットとしてＬ錐体の視感度障害を示す赤色弱に対する彩度レベルの平均的な補正値が赤色弱ボタンにより選択できる。色設定画面にて３バンド毎に映像の彩度レベルがシフトレバーにより増減させることができる。また、シフトレバーにより補正値を任意に変更させることができる。したがって、前記選択された彩度レベルの平均的な補正値に基づく彩度を有する映像信号を出力したり、前記増減された彩度レベルに基づく映像信号を出力したり、前記変更された補正値に基づく映像信号を出力したりすることができる。【選択図】図３
2009077218.tif 000002
【特許請求の範囲】
【請求項１】
映像信号を入力して、少なくとも輝度調整処理と彩度調整処理と明度調整処理と色相調整処理を行って所望の輝度と彩度と明度と色相の情報を含む映像信号を出力する画像処理装置であって、
可視光スペクトル中の主に赤色の成分に人間の色覚が感応するＬ錐体と、可視光スペクトル中の主に緑色の成分に人間の色覚が感応するＭ錐体と、可視光スペクトル中の主に青色の成分に人間の色覚が感応するＳ錐体とに応じて、前記映像信号の赤色スペクトルと、前記映像信号の緑色スペクトルと、前記映像信号の青色スペクトルとの３バンドに前記映像信号のスペクトルを分解するスペクトル分解手段と、
色設定画面にて、プリセットとしてＬ錐体の視感度障害を示す赤色弱とＭ錐体の視覚度障害を示す緑色弱とＳ錐体の視感度障害を示す青色弱とに対する前記彩度レベルの平均的な補正値を選択することを可能にする補正値選択手段と、
前記色設定画面にて、前記３バンド毎に映像の彩度レベルを増減することを可能にすると共に、前記補正値を任意に変更することを可能にする彩度レベル補正手段と、
前記補正値選択手段により選択された彩度レベルの平均的な補正値に基づく彩度を有する映像信号を出力したり、前記彩度レベル補正手段により増減された彩度レベルに基づく映像信号を出力したり、前記彩度レベル補正手段により変更された補正値に基づく映像信号を出力したりする映像信号出力手段と、を備えたことを特徴とする画像処理装置。
【請求項２】
前記色設定画面には、Ｌ錐体（赤）に対する彩度のレベル補正を行うためのシフトレバー、Ｍ錐体（緑）に対する彩度のレベル補正を行うためのシフトレバー、およびＳ錐体（青）に対する彩度のレベル補正を行うためのシフトレバーを表示させることを特徴とする請求項１に記載の画像処理装置。
【請求項３】
前記色設定画面には、プリセットとしてのＬ錐体の視感度障害を示す赤色弱に対する補正値を選択するための赤色弱ボタン、プリセットとしてのＭ錐体の視感度障害を示す緑色弱に対する補正値を選択するための緑色弱ボタン、およびプリセットとしてのＳ錐体の視感度障害を示す青色弱に対する補正値を選択するための青色弱ボタンを表示させることを特徴とする請求項１に記載の画像処理装置。
【請求項４】
前記色設定画面には、少なくとも、第１の色覚障害者の色に関する彩度データを設定するときにオンされる第１のカスタムボタンと、第２の色覚障害者の色に関する彩度データを設定するときにオンされる第２のカスタムボタンを表示させることを特徴とする請求項１に記載の画像処理装置。
【請求項５】
前記色設定画面には、彩度データを登録すると共に色設定画面を消去するときにオンするＯＫボタンを表示させることを特徴とする請求項１に記載の画像処理装置。
【請求項６】
前記色設定画面には、彩度を調整するときに用いられるカラーバーパターン画像を表示させることを特徴とする請求項１に記載の画像処理装置。
【発明の詳細な説明】
【技術分野】
【０００１】
本発明は、デジタル映像信号を入力して、少なくとも輝度調整処理と彩度調整処理と明度調整処理と色相調整処理を行って所望の輝度と彩度と明度と色相の情報を含むデジタル映像信号を出力する画像処理装置に関し、特に、色覚障害を持つユーザに対して映像の彩度を補正する機能に関する。
【背景技術】
【０００２】
近年、テレビジョン受像機（カラーテレビジョン受像機）は、家庭用から業務用と使用用途は多種多様であり、高機能、高性能、高信頼性が要求されている。このようなテレビジョン受像機では、輝度調整、色の濃さ（彩度）調整、明るさ（明度）調整、色相調整などを、自動で行うことができ、あるいは、ユーザによるリモコンの操作によっても調整できるようになっている。
【特許文献１】特開平８−１６１２９号公報
【発明の開示】
【発明が解決しようとする課題】
【０００３】
ところで、テレビジョン受像機において、ディスプレイ装置に入力される映像信号は、統計的に決定された比視感度（人間の目が感じる赤色と緑色と青色のそれぞれのエネルギー分布量）に合わせて色相を決定することが知られている。図５は色相環を示す図であり、色相は図５に示すように円周方向であるＺ方向に変化する。
【０００４】
ところが、テレビジョン受像機に表示させるＯＳＤ（オン・スクリーン・ディスプレイ）画面などは、予め用意された画像であり、設計時に色覚障害者の視感度を考慮して配色を決定すれば良いが、テレビジョン放送局からの放送映像や、再生機器からの再生映像については、色覚障害者に対処できないので、色覚障害者により色相を変化させることを可能にしている画像処理装置（例えば特許文献１参照）が知られている。
【０００５】
しかしながら、このような従来の画像処理装置では、色相を変化させることにより、色覚障害者に対処しているが、例えば、赤いりんごを例に挙げると、色相を変化させると、赤色が実際のりんごの赤色とは少し異なったものとなり、色覚障害者には、自然の色を視感できないという課題が生じる。例えば、図５で言えば、赤で示す領域が本来の赤色を示すが、円周方向であるＺ方向に変化させると、赤色が実際のりんごの赤色とは少し異なったものとなり、色覚障害者には、自然の色を視感できないという課題が生じる。
【０００６】
本発明は、上記のような課題を解決するためになされたもので、放送映像や再生映像を、より自然に近い色で色覚障害者用に補正できる機能を有する画像処理装置を提供することを目的とする。
【課題を解決するための手段】
【０００７】
上記目的を達成するために、請求項１の発明は、映像信号を入力して、少なくとも輝度調整処理と彩度調整処理と明度調整処理と色相調整処理を行って所望の輝度と彩度と明度と色相の情報を含む映像信号を出力する画像処理装置であって、可視光スペクトル中の主に赤色の成分に人間の色覚が感応するＬ錐体と、可視光スペクトル中の主に緑色の成分に人間の色覚が感応するＭ錐体と、可視光スペクトル中の主に青色の成分に人間の色覚が感応するＳ錐体とに応じて、前記映像信号の赤色スペクトルと、前記映像信号の緑色スペクトルと、前記映像信号の青色スペクトルとの３バンドに前記映像信号のスペクトルを分解するスペクトル分解手段と、色設定画面にて、プリセットとしてＬ錐体の視感度障害を示す赤色弱とＭ錐体の視覚度障害を示す緑色弱とＳ錐体の視感度障害を示す青色弱とに対する前記彩度レベルの平均的な補正値を選択することを可能にする補正値選択手段と、前記色設定画面にて、前記３バンド毎に映像の彩度レベルを増減することを可能にすると共に、前記補正値を任意に変更することを可能にする彩度レベル補正手段と、前記補正値選択手段により選択された彩度レベルの平均的な補正値に基づく彩度を有する映像信号を出力したり、前記彩度レベル補正手段により増減された彩度レベルに基づく映像信号を出力したり、前記彩度レベル補正手段により変更された補正値に基づく映像信号を出力したりする映像信号出力手段と、を備えたことを特徴とする画像処理装置を提供する。
【０００８】
この構成において、Ｌ錐体とＭ錐体とＳ錐体とに応じて映像信号の赤色スペクトルと緑色スペクトルと青色スペクトルとの３バンドに映像信号のスペクトルが分解される。色設定画面にて、プリセットとしてＬ錐体の視感度障害を示す赤色弱とＭ錐体の視覚度障害を示す緑色弱とＳ錐体の視感度障害を示す青色弱とに対する彩度レベルの平均的な補正値が補正値選択手段により選択できる。色設定画面にて、前記３バンド毎に映像の彩度レベルが彩度レベル補正手段により増減させることができる。また、彩度レベル補正手段により、補正値を任意に変更させることができる。したがって、映像信号出力手段は、前記補正値選択手段により選択された彩度レベルの平均的な補正値に基づく彩度を有する映像信号を出力したり、前記彩度レベル補正手段により増減された彩度レベルに基づく映像信号を出力したり、前記彩度レベル補正手段により変更された補正値に基づく映像信号を出力したりする。
【０００９】
この構成によれば、色覚障害者は、色設定画面にて、自分の色弱の色に関する彩度を自由に補正できるので、テレビジョン放送による放送映像や再生機器による再生映像であっても、より自然に近い色で観ることができるようになる。
【００１０】
請求項２の発明では、請求項１の発明において、前記色設定画面には、Ｌ錐体（赤）に対する彩度のレベル補正を行うためのシフトレバー、Ｍ錐体（緑）に対する彩度のレベル補正を行うためのシフトレバー、およびＳ錐体（青）に対する彩度のレベル補正を行うためのシフトレバーを表示させるので、シフトレバーをリモコン操作により移動させるだけで所望する色の彩度のレベル補正を簡単に行うことができる。
【００１１】
請求項３の発明では、請求項１の発明において、前記色設定画面には、プリセットとしてのＬ錐体の視感度障害を示す赤色弱に対する補正値を選択するための赤色弱ボタン、プリセットとしてのＭ錐体の視感度障害を示す緑色弱に対する補正値を選択するための緑色弱ボタン、およびプリセットとしてのＳ錐体の視感度障害を示す青色弱に対する補正値を選択するための青色弱ボタンを表示させるので、赤色弱ボタン、緑色弱ボタン、緑色弱ボタンの操作により、視感度障害を示す赤色弱に対する補正値、視感度障害を示す緑色弱に対する補正値、視感度障害を示す青色弱に対する補正値をそれぞれ簡単に選択することができる。
【００１２】
請求項４の発明では、請求項１に発明において、前記色設定画面には、少なくとも、第１の色覚障害者の色に関する彩度データを設定するときにオンされる第１のカスタムボタンと、第２の色覚障害者の色に関する彩度データを設定するときにオンされる第２のカスタムボタンを表示させるので、各カスタムボタンを操作すれば、それぞれの色覚障害者の彩度データを個人別に設定することができる。
【００１３】
請求項５の発明では、請求項１の発明において、前記色設定画面には、彩度データを登録すると共に色設定画面を消去するときにオンするＯＫボタンを表示させるので、ＯＫボタンをリモコン操作によりオンするだけで、彩度データの登録および色設定画面の消去を簡単に行うことができる。
【００１４】
請求項６の発明では、請求項１の発明において、前記色設定画面には、彩度を調整するときに用いられるカラーバーパターン画像を表示させるので、色覚障害者が色の彩度を調整する際に参照でき、色の彩度の調整が行い易くなる。
【発明の効果】
【００１５】
以上のように本発明によれば、色覚障害者は、色設定画面にて、自分の色弱の色に関する彩度を自由に補正できるので、テレビジョン放送による放送映像や再生機器による再生映像であっても、より自然に近い色で観ることができるようになる。
【発明を実施するための最良の形態】
【００１６】
以下、添付図面を参照しつつ、本発明の実施の形態について説明する。図１は本発明の一実施形態に係る画像処理装置の構成を示すブロック図である。
【００１７】
図１において、画像処理装置Ａは、テレビジョン受像機または再生機器（ＤＶＤレコーダ、ＤＶＤプレイヤ、ＢＤレコーダ、ハードディスクレコーダなど）に内蔵される。したがって、画像処理装置Ａに入力されるデジタル映像信号は、画像処理装置Ａがテレビジョン受像機に内蔵される場合は、テレビジョン受像機のデジタル放送受信回路系からの信号または外部のデジタル再生機器からの信号であり、画像処理装置Ａがデジタル再生機器に内蔵される場合は、再生回路系からの信号である。また、画像処理装置Ａに入力されるアナログ映像信号は、画像処理装置Ａがテレビジョン受像機に内蔵される場合は、テレビジョン受像機のアナログ放送受信回路系からの信号または外部のアナログ再生機器（ビデオカセットレコーダなど）からの信号であり、画像処理装置Ａがアナログ再生機器に内蔵される場合は、再生回路系からの信号である。
【００１８】
画像処理装置Ａは、前述したデジタル映像信号を入力してデコード処理するデコーダ１と、前述したアナログ映像信号を入力してデジタル映像信号に変換するＡ／Ｄ（アナログ／デジタル）変換回路２と、デコーダ１からのデジタル映像信号またはＡ／Ｄ変換回路２からのデジタル映像信号を後述する所定処理を行う映像信号処理部３と、画像処理装置Ａの各構成要素を制御するコントローラ４と、デコーダ１や映像信号処理部３あるいはコントローラ４の処理に必要なデータを一時的に格納するＤＤＲ−ＳＤＲＡＭ（Ｄｏｕｂｅ  Ｄａｔａ  Ｒａｔｅ−Ｓｙｎｃｈｒｏｎｏｕｓ  Ｄｙｎａｍｉｃ  ＲＡＭ）などで実現されるＲＡＭ５と、コントローラ４の動作に必要なプログラムやデータ、後述する色設定画面データなどを記憶するフラッシュＲＯＭ６と、映像信号処理部３から出力されたデジタル映像信号をアナログ映像信号に変換するＤ／Ａ変換回路７と、リモコン９からの赤外線の指令信号を電気的な指令信号に変換してその指令信号をコントローラ４に出力する受光部８とを備えている。
【００１９】
映像信号処理部３から出力されたデジタル映像信号は、ラインＬ１を介してディスプレイ装置Ｂのデジタル映像信号入力端子に供給され、Ｄ／Ａ変換回路７から出力されたアナログ映像信号は、ラインＬ２を介してディスプレイ装置Ｂのアナログ映像入力端子に供給される。ディスプレイ装置Ｂでは、デジタル映像信号入力端子にデジタル映像信号が入力された場合には、図示しないＤ／Ａ変換回路により、ぞのデジタル映像信号をアナログ映像信号に変換し、このアナログ映像信号を表示用の映像信号に変換し、この表示用の映像信号により映像を表示させる。また、ディスプレイ装置Ｂでは、アナログ映像信号入力端子にアナログ映像信号が入力された場合には、このアナログ映像信号を表示用の映像信号に変換し、この表示用の映像信号により映像を表示させる。
【００２０】
前述した構成を有する画像処理部Ａは、映像信号（デジタル映像信号またはアナログ映像信号）を入力して、映像信号処理部３にて、少なくとも輝度調整処理と彩度調整処理と明度調整処理と色相処理を行って、所望の輝度と彩度と明度と色相の情報を含む映像信号（デジタル映像信号またはアナログ映像信号）を出力する。
【００２１】
本実施形態における画像処理部Ａの特徴としては、可視光スペクトル中の主に赤色の成分に人間の色覚が感応するＬ錐体と、可視光スペクトル中の主に緑色の成分に人間の色覚が感応するＭ錐体と、可視光スペクトル中の主に青色の成分に人間の色覚が感応するＳ錐体とに応じて、前記映像信号の赤色スペクトルと、前記映像信号の緑色スペクトルと、前記映像信号の青色スペクトルとの３バンドに前記映像信号のスペクトルを分解するスペクトル分解手段と、可視光スペクトル中の主に赤色の成分に人間の色覚が感応するＬ錐体と、可視光スペクトル中の主に緑色の成分に人間の色覚が感応するＭ錐体と、可視光スペクトル中の主に青色の成分に人間の色覚が感応するＳ錐体とに応じて、前記映像信号の赤色スペクトルと、前記映像信号の緑色スペクトルと、前記映像信号の青色スペクトルとの３バンドに前記映像信号のスペクトルを分解するスペクトル分解手段と、色設定画面にて、プリセットとしてＬ錐体の視感度障害を示す赤色弱とＭ錐体の視覚度障害を示す緑色弱とＳ錐体の視感度障害を示す青色弱とに対する前記彩度レベルの平均的な補正値を選択することを可能にする補正値選択手段と、前記色設定画面にて、前記３バンド毎に映像の彩度レベルを増減することを可能にすると共に、前記補正値を任意に変更することを可能にする彩度レベル補正手段とを備えている。
【００２２】
前記スペクトル分解手段および前記映像信号出力手段は、映像信号処理部３に含まれている。また、前記補正値選択手段および前記彩度レベル補正手段は、図３において説明する。
【００２３】
図２は本実施形態において彩度を変化させる場合の色の変化を示す図である。図２において、色の濃さ方向であるＹ方向に色を変化させると彩度が変化する。例えば、図２において赤で示す赤色の領域は、Ｙ方向に従って赤色の彩度が高くなる。
【００２４】
図３は本実施形態において色設定画面の一例を示す図である。図３において、色設定画面３０には、Ｌ錐体（赤）に対する彩度のレベル補正を行うためのシフトレバー（彩度レベル補正手段）３１、Ｍ錐体（緑）に対する彩度のレベル補正を行うためのシフトレバー（彩度レベル補正手段）３２、Ｓ錐体（青）に対する彩度のレベル補正を行うためのシフトレバー（彩度レベル補正手段）３３、プリセットとしてのＬ錐体の視感度障害を示す赤色弱に対する補正値を選択するための赤色弱ボタン（補正値選択手段）３４、プリセットとしてのＭ錐体の視感度障害を示す緑色弱に対する補正値を選択するための緑色弱ボタン（補正値選択手段）３５、プリセットとしてのＳ錐体の視感度障害を示す青色弱に対する補正値を選択するための青色弱ボタン（補正値選択手段）３６、第１の色覚障害者の色に関する彩度データを設定するときにオンされるカスタム０１のボタン（第１のカスタムボタン）３７、第２の色覚障害者の色に関する彩度データを設定するときにオンされるカスタム０２のボタン（第２のカスタムボタン）３８、彩度データを登録すると共に色設定画面を消去するときにオンするＯＫボタン３９、および彩度を調整するときに用いられるカラーバーパターン画像４０が表示されている。
【００２５】
図４は本実施形態において色覚障害者が色設定を行う場合の処理を説明するためのフローチャートである。このフローチャートおよび図１〜図３を参照して色覚障害者が色設定を行う場合の処理について説明する。
【００２６】
先ず、色設定画面３０をディスプレイ装置Ｂに表示させるため、ユーザはリモコン９の例えば機能一覧キーを押下して、機能一覧画面をディスプレイ装置Ｂに表示させ、その機能一覧画面から色設定画面の項目を選択し決定すると、画像処理装置Ａのコントローラ４は、色設定画面表示操作がされたことを検出し（ステップＳ１）、色設定画面３０をディスプレイ装置Ｂに表示させる（ステップＳ２）。
【００２７】
ユーザは、ディスプレイ装置Ｂに表示された色設定画面３０のカラーバーパターン画像を見て、自分が赤色の視感度障害者であることが判ったとき、あるいは自分が赤色の視感度障害者であることを知っているとき、リモコン９を操作して赤色弱ボタン３４をオンすると、コントローラ４は、赤色弱ボタン３４が押下されたことを検出し（ステップＳ３）、赤色弱に対応した色設定画面をディスプレイ装置Ｂに表示させる（ステップＳ６）。
【００２８】
即ち、平均的な赤色の視感度障害者に対する彩度データが予めフラッシュＲＯＭ６に記憶されているので、コントローラ４は、フラッシュＲＯＭ６から平均的な赤色の視感度障害者に対する彩度データを読み出し、映像信号処理部３に供給する。これにより、映像信号処理部３は、その彩度データに基づいて、平均的な赤色の視感度障害者に対する色設定画面３０をディスプレイ装置Ｂに表示する。この場合の彩度データは、Ｌ錐体（赤）の彩度レベルが平均レベルよりも高くなっている。したがって、色設定画面３０においては、シフトレバー３１は、他のシフトレバー３２，３３よりも高く設定された表示画面になる。
【００２９】
そして、赤色の視感度障害者は、色設定画面３０のカラーバーパターン画像４０の赤色の部分を見て赤色の視感度が弱いと感じた場合、リモコン９を操作してシフトレバー３１を更に高い方に移動させて、赤色の彩度レベルの補正を行うと、コントローラ４は、赤色の彩度レベルの補正がされたことを検知する（ステップＳ９）。
【００３０】
次に、赤色の視感度障害者は、リモコン９を操作して、例えば、色設定画面３０上のカスタム０１のボタン３７をオンすると、コントローラ４はカスタム０１のボタン３７が選択されたことを検知する（ステップＳ１０）。そして、その赤色の視感度障害者が、カラーバーパターン画像４０を見て、赤色が正常に見えれば、リモコン９を操作して色設定画面３０上のＯＫボタン３９をオンすると、コントローラ４はＯＫボタン３９がオンされたことを検知し（ステップＳ１１）、前記補正された赤色の彩度データを含む彩度データをフラッシュＲＯＭ６に登録して（ステップＳ１２）、色設定画面３０を消去する（ステップＳ１３）。
【００３１】
また、ステップＳ２において色設定画面３０が表示された後、ユーザは、ディスプレイ装置Ｂに表示された色設定画面３０のカラーバーパターン画像４０を見て、自分が緑色の視感度障害者であることが判ったとき、あるいは自分が緑色の視感度障害者であることを知っているとき、リモコン９を操作して緑色弱ボタン３５をオンすると、コントローラ４は、緑色弱ボタン３５が押下されたことを検出し（ステップＳ４）、緑色弱に対応した色設定画面３０をディスプレイ装置Ｂに表示させる（ステップＳ７）。
【００３２】
即ち、平均的な緑色の視感度障害者に対する彩度データが予めフラッシュＲＯＭ６に記憶されているので、コントローラ４は、フラッシュＲＯＭ６から平均的な緑色の視感度障害者に対する彩度データを読み出し、映像信号処理部３に供給する。これにより、映像信号処理部３は、その彩度データに基づいて、平均的な緑色の視感度障害者に対する色設定画面３０をディスプレイ装置Ｂに表示する。この場合の緑色の彩度データでは、Ｍ錐体（緑）の彩度レベルが平均レベルよりも高くなっている。したがって、色設定画面３０においては、シフトレバー３２は、他のシフトレバー３１，３３よりも高く設定された表示画面になる。
【００３３】
そして、緑色の視感度障害者は、色設定画面３０のカラーバーパターン画像４０の緑色の部分を見て緑色の視感度が弱いと感じた場合、リモコン９を操作してシフトレバー３２を更に高い方に移動させて、緑色の彩度レベルの補正を行うと、コントローラ４は、緑色の彩度レベルの補正がされたことを検知する（ステップＳ９）。
【００３４】
次に、緑色の視感度障害者は、リモコン９を操作して、例えば、色設定画面３０上のカスタム０２のボタン３８をオンすると、コントローラ４はカスタム０２のボタン３８が選択されたことを検知する（ステップＳ１０）。そして、その緑色の視感度障害者が、カラーバーパターン画像４０を見て、緑色が正常に見えれば、リモコン９を操作して色設定画面３０上のＯＫボタン３９をオンすると、コントローラ４はＯＫボタン３９がオンされたことを検知し（ステップＳ１１）、前記補正された緑色の彩度データを含む彩度データをフラッシュＲＯＭ６に登録して（ステップＳ１２）、色設定画面３０を消去する（ステップＳ１３）。
【００３５】
ユーザが青色の視感度障害者についても同様な操作および処理（ステップＳ５、ステップＳ８）を行うので、ここでは説明を省略する。なお、ここでは、赤色の視感度障害者については、カスタム０１のボタン３７を使用し、緑色の視感度障害者については、カスタム０２のボタン３８を使用したが、これらのボタン３７，３８は、どちらを使用しても良い。また、カスタムボタンは２個に限ることはない。
【００３６】
以上説明したように本実施形態によれば、Ｌ錐体とＭ錐体とＳ錐体とに応じて映像信号の赤色スペクトルと緑色スペクトルと青色スペクトルとの３バンドに映像信号のスペクトルが分解される。色設定画面３０にて、プリセットとしてＬ錐体の視感度障害を示す赤色弱とＭ錐体の視覚度障害を示す緑色弱とＳ錐体の視感度障害を示す青色弱とに対する彩度レベルの平均的な補正値が赤色弱ボタン３４と緑色弱ボタン３５と青色弱ボタン３６とにより選択できる。色設定画面３０にて、前記３バンド毎に映像の彩度レベルがシフトレバー３１，３２，３３により増減させることができる。また、シフトレバー３１，３２，３３により、補正値を任意に変更させることができる。
【００３７】
したがって、色覚障害者は、色設定画面にて、自分の色弱の色に関する彩度を自由に補正できるので、テレビジョン放送による放送映像や再生機器による再生映像であっても、より自然に近い色で観ることができるようになる。
【産業上の利用可能性】
【００３８】
本発明の画像処理装置は、ＤＶＤレコーダなどの再生機器のビデオデコーダ部やテレビジョン受像機などに利用可能であり、特に色覚障害者に有効である。
【図面の簡単な説明】
【００３９】
【図１】本発明の一実施形態に係る画像処理装置の構成を示すブロック図である。
【図２】前記実施形態において彩度を変化させる場合の色の変化を示す図である。
【図３】前記実施形態において色設定画面の一例を示す図である。
【図４】前記実施形態において色覚障害者が色設定を行う場合の処理を説明するためのフローチャートである。
【図５】色相環を示す図である。
【符号の説明】
【００４０】
Ａ    画像処理装置
３    映像信号処理部（スペクトル分解手段、映像信号出力手段）
３０    色設定画面
３１，３２，３３    シフトレバー（彩度レベル補正手段）
３４    赤色弱ボタン（補正値選択手段）
３５    緑色弱ボタン（補正値選択手段）
３６    青色弱ボタン（補正値選択手段）
３７    カスタム０１のボタン（第１のカスタムボタン）
３８    カスタム０２のボタン（第２のカスタムボタン）
３９    ＯＫボタン
４０    カラーバーパターン画像
【図１】
2009077218.tif 000003
【図４】
2009077218.tif 000004
【図２】
2009077218.tif 000005
【図３】
2009077218.tif 000006
【図５】
2009077218.tif 000007